(57)【要約】【課題】信号制御機にケーブルなどを接続しても、筐体内部の機器が外部に晒されることがない信号制御機およびその筐体を提供する。【解決手段】本発明の一形態に係る信号制御機１００は、制御ユニット１２０と、筐体１０１の本体１０２と、扉１０３と、カバー部材１５０とを具備する。制御ユニット１０２は、交通用の信号灯を制御する。本体１０２は、開口１０７と、その開口端部１０７Ａに形成された切欠き部１１０とを有し、制御ユニット１２０を収容する。扉１０３は、本体１０２に接続され、開口１０７を開閉可能である。カバー部材１５０は、本体１０２に設けられ、切欠き部１１０を開閉可能である。【選択図】図２
2018173997.tif 000002
【特許請求の範囲】
【請求項１】
交通用の信号灯を制御する制御ユニットと、
開口と、前記開口の開口端部に形成された切欠き部または穴部とを有し、前記制御ユニットを収容する筐体の本体と、
内側に設けられたパッキンを有し、前記本体に接続され、前記開口を開閉可能な扉と、
前記本体に設けられ、前記切欠き部または穴部を開閉可能なカバー部材とを具備し、
前記開口端部は、フランジ部を有し、
前記カバー部材は、前記切欠き部または穴部を閉じた状態で、前記フランジ部の前記前面部に沿う前面を含み、
前記扉は、前記パッキンが前記フランジ部の前面部および前記カバー部材の前記前面に面接触することで前記開口を閉じるように構成される
信号制御機。
【請求項２】
請求項１に記載の信号制御機であって、
前記カバー部材は、前記本体の内側から開閉可能に設けられる
信号制御機。
【請求項３】
請求項１または２に記載の信号制御機であって、
前記カバー部材は、前記本体に回転可能またはスライド可能に接続される
信号制御機。
【請求項４】
請求項３に記載の信号制御機であって、
前記カバー部材は、
前記本体の内側に設けられたベース部と、
前記ベース部に設けられ、前記切欠き部または穴部に係合可能な係合部と、を有する
信号制御機。
【請求項５】
請求項４に記載の信号制御機であって、
前記カバー部材は、前記ベース部に設けられた回転軸部をさらに有する
信号制御機。
【請求項６】
請求項３に記載の信号制御機であって、
前記カバー部材は、
前記本体の内側に設けられたベース部と、
前記ベース部から折れ曲がるように設けられた折曲げ部と、を有する
信号制御機。
【請求項７】
請求項６に記載の信号制御機であって、
前記本体は、軸部を有し、
前記カバー部材は、このカバー部材のスライド移動に相対的な前記軸部の移動をガイドするガイド部を有する
信号制御機。
【請求項８】
請求項６に記載の信号制御機であって、
前記カバー部材は、前記ベース部に設けられたスライド軸部を有し、
前記本体は、前記カバー部材のスライド移動時の前記スライド軸部の移動をガイドするガイド部を有する
信号制御機。
【請求項９】
請求項３に記載の信号制御機であって、
前記カバー部材は、ヒンジ部を有し、前記ヒンジ部により前記本体に回転可能に接続される
信号制御機。
【請求項１０】
請求項１に記載の信号制御機であって、
前記切り欠き部は、前記本体の下部に設けられる
信号制御機。
【請求項１１】
交通用の信号灯を制御する信号制御機の筐体であって、
開口と、前記開口の開口端部に形成された切欠き部または穴部を有する本体と、
前記開口端部の形状に沿って設けられたパッキンを内側に有し、前記本体に接続され、前記開口を開閉可能な扉と、
前記本体に設けられ、前記切欠き部または穴部を開閉可能なカバー部材とを具備し、
前記開口端部は、フランジ部を有し、
前記カバー部材は、前記切欠き部または穴部を閉じた状態で、前記フランジ部の前記前面部に沿う前面を含み、
前記扉は、前記パッキンが前記フランジ部の前面部および前記カバー部材の前記前面に面接触することで前記開口を閉じるように構成される
筐体。
【発明の詳細な説明】
【技術分野】
【０００１】
本発明は、交通用の信号機を制御する信号制御機およびこれに用いられる筐体に関する。
【背景技術】
【０００２】
道路の交差点などに設置される交通用の信号機には、信号灯の点灯を制御するための信号制御機が取り付けられている。この信号制御機の筐体は、通常、外部から雨や塵埃が侵入したりすることを防止し、内部の機器を保護するため、筐体本体に設けられている扉を密閉した状態で設置されている。
【０００３】
ところで、通常、信号機には、商用電源が供給される。地震などの災害による停電が発生すると、信号機が滅灯して交通に混乱をきたすおそれがある。このような事態を避けるため、例えば、停電時に商用電源と制御装置との接続を遮断し、車両のバッテリーを制御装置に接続して信号機を作動させる技術が提案されている（例えば、特許文献１の明細書段落［００１７］参照。）。
【先行技術文献】
【特許文献】
【０００４】
【特許文献１】特開２０１２−２３８１４０号公報
【発明の概要】
【発明が解決しようとする課題】
【０００５】
例えば信号機には、信号機と商用電源の配電線との切り替え部分である電源箱が設けられ、この電源箱に外部電源接続端子が内蔵されている場合がある。この場合、停電時には、操作者が電源箱を開けて外部電源接続端子に外部電源のケーブルなどを接続して給電を行うことが可能であるが、電源箱が信号制御機より高い位置に設置されていることなどから、外部給電の作業性が悪いという問題がある。
【０００６】
そこで、例えば、外部給電の作業性の改善を図るため、この外部電源接続端子を電源箱ではなく信号制御機に内蔵させることが考えられる。この場合、操作者は、信号制御機の筐体の扉を開けて、筐体内の外部電源接続端子に外部電源のケーブルなどを接続して給電を行うことができる。しかし、給電中は筐体の本体と開いた扉との間に外部電源のケーブルなどが通った状態となり、扉を閉めることができなくなるため、例えば筐体内部の機器が風雨や外気に晒されてしまうといった問題が生じる。
【０００７】
以上のような事情に鑑み、本発明の目的は、信号制御機にケーブルなどを接続しても、筐体内部の機器が外部に晒されることがない信号制御機およびその筐体を提供することにある。
【課題を解決するための手段】
【０００８】
上記目的を達成するため、本発明の一形態に係る信号制御機は、制御ユニットと、筐体の本体と、扉と、カバー部材とを具備する。
前記制御ユニットは、交通用の信号灯を制御する。
前記本体は、開口と、前記開口の開口端部に形成された切欠き部とを有する。前記本体は、前記制御ユニットを収容する。
前記扉は、前記本体に接続され、前記開口を開閉可能である。
前記カバー部材は、前記本体に設けられ、前記切欠き部を開閉可能である。
【０００９】
この信号制御機用の筐体は、本体内部にケーブルなどを接続した場合にも、カバー部材を開けて切欠き部にケーブルなどを通すことにより、扉を閉めることが可能となる。これにより、筐体内を外部に晒すことなくケーブルを筐体内の機器に接続することができる。このようにカバー部材を閉めておくことにより、ケーブルが筐体内の機器に接続された状態であっても、筐体内を外部から保護することができる。
【００１０】
前記カバー部材は、前記本体の内側から開閉可能に設けられていてもよい。
これにより、筐体の扉を閉めた状態ではカバー部材を開閉できないようにすることができる。
【００１１】
前記カバー部材は、前記本体に回転可能またはスライド可能に接続されていてもよい。
これにより、利用者は、カバー部材を回転またはスライドさせることで、切欠き部を簡単に開閉することができる。
【００１２】
前記開口端部は、フランジ部を有していてもよい。
その場合、例えば、前記扉は、前記フランジ部の前面部に面接触することで前記開口を閉じるように構成され、前記カバー部材は、前記フランジ部のＬ字形状に沿って形成される部位を有する。
【００１３】
前記カバー部材は、前記本体の内側に設けられたベース部と、前記ベース部に設けられ、前記切欠き部または穴部に係合可能な係合部と、を有していてもよい。
【００１４】
前記カバー部材は、前記ベース部に設けられた回転軸部をさらに有してもよい。
【００１５】
前記カバー部材は、前記本体の内側に設けられたベース部と、前記ベース部から折れ曲がるように設けられた折曲げ部と、を有していてもよい。
【００１６】
前記本体は、軸部を有していてもよい。
その場合、例えば、前記カバー部材は、このカバー部材のスライド移動に相対的な前記軸部の移動をガイドするガイド部を有する。
【００１７】
前記カバー部材は、前記ベース部に設けられたスライド軸部を有していてもよい。
その場合、例えば、前記本体は、前記カバー部材のスライド移動時の前記スライド軸部の移動をガイドするガイド部を有する。
【００１８】
前記カバー部材は、前記カバー部材が閉められた状態で前記フランジ部の前面部に沿う面を含んでいてもよい。
これにより、係合部の、フランジ部の前面に沿う面にも扉がフランジ部に面接触するので、カバー部材および扉が閉じた状態で、筐体内の密閉性を高めることができる。
【００１９】
前記カバー部材は、ヒンジ部を有し、前記ヒンジ部により前記本体に回転可能に接続されていてもよい。
【００２０】
前記切り欠き部は、前記本体の下部に設けられていてもよい。
これにより、たとえカバー部材が開いた状態でも、扉を閉めていれば、外部からの風雨の浸入を抑制することができる。
【００２１】
上記目的を達成するため、本発明の一形態に係る筐体は、交通用の信号灯を制御する信号制御機の筐体であって、本体と、扉と、カバー部材とを具備する。
前記本体は、開口と、前記開口の開口端部に形成された切欠き部または穴部を有する。
前記扉は、前記本体に接続され、前記開口を開閉可能である。
前記カバー部材は、前記本体に設けられ、前記切欠き部または穴部を開閉可能である。
【発明の効果】
【００２２】
以上、本発明によれば、必要に応じて本体と扉との間にケーブルなどを通して扉を閉めることが可能であり、通常時には密閉しておくことが可能な交通信号制御機用筐体を実現することができる。
【図面の簡単な説明】
【００２３】
【図１】図１は、本発明の第１の実施形態に係る信号制御機が導入される交通用の信号機を示す図である。
【図２】図２は、本発明の第１の実施形態に係る信号制御機を示す斜視図である。
【図３】図３は、図２に示した信号制御機の正面図である。
【図４】図４は、図３におけるＡ−Ａ線断面図である。
【図５】図５Ａ、Ｂは、図２に示した信号制御機の要部を示す斜視図である。
【図６】図６Ａ〜Ｃは、図５Ａ、Ｂに示したカバー部材を示す図である。
【図７】図７は、本発明の実施形態に係る信号制御機に電気ケーブルを接続して扉を閉めた状態を示す図である。
【図８】図８Ａ、Ｂは、本発明の第２の実施形態に係る信号制御機の要部を示す斜視図である。
【図９】図９Ａ〜Ｃは、図８Ａ、Ｂに示したカバー部材を示す図である。
【図１０】図１０は、本発明の第３の実施形態に係る信号制御機の要部を示す平面図である。
【図１１】図１１は、図１０におけるＢ−Ｂ線断面図である。
【発明を実施するための形態】
【００２４】
以下、図面を参照しながら、本発明の実施形態を説明する。
【００２５】
［第１の実施形態］
【００２６】
図１は、本発明の第１の実施形態に係る信号制御機が導入される交通用の信号機１を示す図である。信号機１は、例えば車両用および歩行者用の信号灯２と、これらの信号灯２を制御する信号制御機１００を備える。信号灯２および信号制御機１００は支柱３に取り付けられ、これらは電気ケーブルを介して接続される。
【００２７】
信号機１は交差点脇に複数設置されることがほとんどである。信号制御機１００は、交差点毎に１つ設置される。信号制御機１００のほとんどは、人の手の届く高さ範囲、例えば１〜１．５ｍの高さ位置で支柱３に取り付けられる。
【００２８】
図２は、信号制御機１００を示す斜視図である。図３は、図２に示した信号制御機１００の正面図である。図４は、図３におけるＡ−Ａ線断面図である。なお、図３および図４では、筐体１０１内の内部機器等の図示を省略している。
【００２９】
信号制御機１００は、筐体１０１、制御ユニット１２０、手動操作ユニット１３０、ブレーカユニット１４０、および外部給電ユニット２００を備える。
【００３０】
筐体１０１は、開口１０７を有する本体１０２と、その本体１０２に接続され、開口１０７を開閉可能に設けられた扉１０３とを備える。本体１０２の開口１０７の開口端部１０７Ａには、後述するように切欠き部１１０が形成され、その切欠き部１１０を開閉可能なカバー部材１５０が本体１０２に設けられている。
【００３１】
また、扉１０３の所定位置には開口部１０３ａが設けられ、図示しない副扉がその開口部１０３ａを開閉可能に扉１０３の表側（図２の紙面奥側）に接続されている。扉１０３は、ヒンジ１０４により開閉可能に本体１０２に接続され、同様に、副扉もヒンジにより開閉可能に扉１０３に接続されている。扉１０３には施錠部１０５が設けられ、扉１０３は本体１０２に対して施錠可能となっている。
【００３２】
制御ユニット１２０は、例えば、本体１０２内の上部に収容され、基本的に、１つ以上の信号灯２における点灯および点滅の時間を制御する。制御ユニット１２０は、前面に操作パネル１２１を有し、利用者（例えば警察関係者等）は、例えばこの操作パネル１２１を操作することにより、上記点灯時間や点灯順序を設定し、およびそれらを変更することができる。制御ユニット１２０は、上記基本機能の他、点灯輝度の調整機能や、交通管制センターのコンピュータと通信可能な通信機能を備える場合もある。
【００３３】
手動操作ユニット１３０は、扉１０３の開口部１０３ａに臨むように扉１０３の内側に設けられている。具体的には、手動操作ユニット１３０は、開口部１０３ａを扉１０３の内側から塞ぐように設けられた支持板１３１に支持され、支持板１３１と副扉との間に収容されている。
【００３４】
手動操作ユニット１３０は、制御ユニット１２０が行う信号灯２の点灯の制御を手動制御に切り替え、利用者の手動操作の入力を受け付けて信号灯２の点灯を制御する機能を有する。例えばイベント等で、利用者が副扉を開けて、開口部１０３ａ内の手動操作ユニット１３０の操作ボタンを操作することにより、信号灯２の点灯を手動で切り替えることができる。
【００３５】
ブレーカユニット１４０は、本体１０２内に収容され、例えば制御ユニット１２０の下部に配置されている。ブレーカユニット１４０は、図示しない商用電源（からの電力供給ケーブル）に接続され、商用電源から信号制御機１００への電力供給経路を開閉したり、その電力供給経路に流れる電流が規定値を超えた場合には、その電力供給を遮断したりする。
【００３６】
外部給電ユニット２００は、例えば災害時等の緊急時に外部電源に接続可能な端子部である外部給電端子部２２０と、電源（商用電源か外部電源か）を選択するため手動操作による切り替えが可能なスイッチを含む手動切替スイッチ部２３０とを有している。
【００３７】
外部給電端子部２２０としては、規格化されたものが搭載され、例えば広く一般家庭にまで普及している電化製品用の端子部が搭載される。具体的な規格として、ＪＩＳ（Japanese Industrial Standards）では、C 8303などであり、ＩＥＣ（International Electrotechnical Commission）では、60884などである。このように規格化された外部給電端子部であれば、外部給電機能を有する市販の装置や汎用のプラグまたはソケットをこの外部給電端子部２２０に接続することができる。
【００３８】
手動切替スイッチ部２３０は、手動操作による切り替えが可能なスイッチとして、例えば操作レバーを動かされることによって配線の接続経路を切り替えるトグルスイッチを有している。なお、この操作レバーは、外部給電ユニット２００の前面に取り付けられた保護カバーに囲まれて設けられており、保護カバーの開口から利用者が手を入れて操作できるようになっている。
【００３９】
外部給電ユニット２００は、ブレーカユニット１４０を介して商用電源に接続可能である電力供給経路、および外部給電端子部２２０に接続されている第２の電力供給経路を有する。手動切替スイッチ２３０の各接点に、これら電力供給経路がそれぞれ接続されている。手動切替スイッチ２３０により、これらの経路のうち一方が選択され、その電力は、制御ユニット１２０に供給される。
【００４０】
図５Ａ、Ｂは、信号制御機１００の要部を示す斜視図である。この本体の開口１０７の開口端部１０７Ａの断面はＬ字状に形成され、以降ではこの開口端部１０７Ａを必要に応じてフランジ部１０８という。すなわち、フランジ部１０８は、本体の前方へ向けて張り出す基部１０８ａと、基部１０８ａから開口１０７の外周側へ向けて９０°に折れた前面部１０８ｂとを有する。扉１０３の内側１０３ｂに開口端部１０７Ａの形状に沿って設けられた図示しないパッキンと、フランジ部１０８の前面部１０８ｂとが面接触することにより、扉１０３が開口１０７を閉じ、すなわち本体１０２が閉じられるようになっている。このようなフランジ部１０８の構成により、図４の一点鎖線で示すように、扉１０３が閉じられた状態で、本体のフランジ支持部１１９と、扉１０３との間に隙間ができる。利用者は、この隙間に指を入れて扉を開閉することができる。
【００４１】
本体１０２の下部において、底部１０９から延設される、フランジ部１０８の部分の所定の位置には、切欠き部１１０が設けられている。本体１０２には、この切欠き部１１０を開閉可能なカバー部材１５０が設けられている。
【００４２】
図６Ａは、カバー部材１５０を下側から示す斜視図、図６Ｂはその側面図、図６Ｃはその下面図である。カバー部材１５０は、ベース部としてのベース板１５１と、このベース板１５１から下方側に突出して設けられた係合部１５５とを有する。ベース板１５１は、概略長方形に形成され、係合部１５５は直方体状に形成されている。ベース板１５１の下面側には、フランジ部１０８に接続される回転軸部１５３が設けられている。例えば本体１０２のフランジ部１０８に、その回転軸部１５３が挿入される穴が形成されている。なお、係合部１５５には、中抜き加工１５５ａが施されている。
【００４３】
カバー部材１５０は、ゴム等の柔軟性を有する素材で形成される。ゴムとしては、例えばクロロプレン（ＣＲ）、エチレンプロピレンジエン（ＥＰＤＭ）等が用いられる。
【００４４】
図５Ａに示すように、カバー部材１５０の閉状態では、係合部１５５が切欠き部１１０に係合し、かつ、ベース板１５１がフランジ部１０８の基部１０８ａの上面に載置された状態となる。この状態でフランジ部１０８の前面部１０８ｂに、カバー部材１５０の係合部１５５の前面１５６が沿うように配置される。ベース板１５１と係合部１５５の前面１５６とは、フランジ部１０８のＬ字形状に沿って形成される部位となる。これにより、カバー部材１５０の閉状態で、扉１０３が閉められると、扉１０３の内側に設けられたパッキンがフランジ部１０８および係合部１５５の前面１５６に面接触し、筐体１０１内をほぼ密閉状態とすることができる。
【００４５】
図５Ｂに示すように、筐体１０１の内側から、係合部１５５の切欠き部１１０への係合が外され、回転軸部１５３を中心にカバー部材１５０が回転させられた状態では、扉１０３が閉められた場合でも、切欠き部１１０を介して筐体１０１の内部と外部が連通した状態となる。
【００４６】
例えば商用電源からの電力供給が途絶えた場合、利用者は、扉１０３を開け、外部電源に接続された電気ケーブル５０を外部給電端子部２２０に接続し、手動切替スイッチ２３０を外部電源側に切り替える。そして利用者は、図５Ｂに示すようにカバー部材１５０を開状態とし、図７に示すように、切欠き部１１０にその電気ケーブル５０を通すようにして扉１０３を閉めることができる。
【００４７】
したがって、筐体１０１内を外部に晒すことなく電気ケーブル５０を筐体１０１内の外部給電ユニット２００に接続することができる。これにより、外部給電中であっても、筐体１０１内を外部から保護することができる。筐体１０１内が外部に晒されないので、風雨等の筐体１０１内への浸入を防止することができる。これにより、信号制御機１００の損傷や故障を防止できる。
【００４８】
また、外部給電中であっても、扉１０３を閉めて施錠部１０５で施錠することも可能なので、利用者とは無関係の者が、例えば悪戯で、筐体１０１内を操作することを防止するための監視の必要もなくなる。
【００４９】
本実施形態では、利用者は、カバー部材１５０を回転によりワンタッチで簡単に開閉することができるので、緊急時の作業をスムーズに行うことができる。また、利用者は、回転軸部１５３が本体１０２に接続された状態でカバー部材１５０を開閉するので、カバー部材１５０を紛失することもない。
【００５０】
本実施形態では、カバー部材１５０は、本体１０２の内側から開閉可能に設けられるので、筐体１０１の扉１０３を閉めた状態ではカバー部材１５０を開閉できないようにすることができる。これにより、平常時において、無関係者による筐体１０１内部への悪戯等を防止できる。
【００５１】
本実施形態に係る切欠き部１１０は、本体１０２の下部に設けられているので、たとえカバー部材１５０が開状態にある場合でも、扉１０３を閉めていれば、外部からの風雨の浸入を抑制することができる。また、切欠き部１１０が下部に設けられることで、信号制御機内での切欠き部１１０およびカバー部材１５０の位置が目立たず、無関係者による悪戯も受けにくい。
【００５２】
本実施形態では、カバー部材１５０の回転軸部１５３が設けられたが、本体１０２に回転軸部が設けられ、カバー部材１５０のベース部にその回転軸部が接続される穴が設けられていてもよい。
【００５３】
［第２の実施形態］
【００５４】
図８Ａ、Ｂは、本発明の第２の実施形態に係る信号制御機３００を示す図である。図９Ａ〜Ｃは、図８Ａ、Ｂに示すカバー部材１６０の、斜視図、側面図、平面図を示す。これ以降の説明では、第１の実施形態に係る信号制御機１００が含む部材や機能等について同様のものは説明を簡略化または省略し、異なる点を中心に説明する。
【００５５】
図９Ａ〜Ｃに示すように、カバー部材１６０は、ベース部としてのベース板１６１と、ベース板１６１の端辺から実質的に直角に折れ曲がるように形成された折曲げ部１６５とを有する。すなわち、カバー部材１６０は、側面で見てＬ字形状を有する。ベース板１６１は、所定の方向に沿って設けられたガイド部としての複数の（例えば２つの）ガイド切欠き１６３を有する。
【００５６】
図８Ａに示すように、本体のフランジ部１０８には複数の（例えば２つの）軸部１９０が設けられ、カバー部材１６０のガイド切欠き１６３にスライド可能に係合している。軸部１９０は、フランジ部１０８に形成された切欠き部１１０に隣接して設けられている。軸部１９０は、典型的にはネジで構成され、ネジが、フランジ部１０８の基部１０８ａに設けられたネジ穴に、カバー部材１６０のガイド切欠き１６３を介して挿入されている。
【００５７】
図８Ａに示すカバー部材１６０の閉状態では、折曲げ部１６５の前面１６６が、フランジ部１０８の前面部１０８ｂに沿うような位置で、折曲げ部１６５が切欠き部１１０内に配置されている。
【００５８】
カバー部材１６０は、例えば金属で構成される。金属としては、例えば、ＳＰＣＣ（Steel Plate Cold Commercial）、ステンレス（例えばＳＵＳ３０４）等が用いられる。
【００５９】
例えば商用電源からの電力供給が途絶えた場合、利用者は、扉１０３を開け、外部電源に接続された電気ケーブル５０を外部給電端子部２２０（図２参照）に接続し、手動切替スイッチ２３０を外部電源側に切り替える。
【００６０】
利用者は、軸部１９０であるネジを緩め、図８Ｂに示すように、カバー部材１６０を後方へ（ガイド切欠き１６３の長手方向に沿って）スライドさせる。この時、折曲げ部１６５は、切欠き部１１０内をスライドして、後方の底部１０９の辺縁に突き当たり、カバー部材１６０のスライド移動が規制される。これにより、カバー部材１６０は開状態とされる。利用者は、図８Ｂに示した状態で、軸部１９０のネジを緩めたままにしてもよいが、締めてもよい。
【００６１】
そして利用者は、図７に示すように、切欠き部１１０にその電気ケーブル５０を通すようにして扉１０３を閉めることができる。
【００６２】
以上のようなカバー部材１６０が切欠き部１１０に設けられることにより、この信号制御機３００は、上記第１の実施形態と同様の効果を得ることができる。
【００６３】
本実施形態では、カバー部材１６０のガイド部（ガイド切欠き１６３）の一端はベース板１６１の端部で開放された形状であったが、ガイド部は長穴形状であってもよい。
【００６４】
軸部１９０はネジであったが、ネジ部を持たないピンであってもよい。この場合、カバー部材１６０が簡単にピンから外れないように、ピンがヘッドを有していてもよい。
【００６５】
本実施形態では、カバー部材１６０にガイド切欠き１６３が設けられたが、本体１０２にガイド部としてのガイド切欠き（または長穴）が設けられ、カバー部材１６０のベース部（ベース板１６１）に、それにスライド可能に接続されるスライド軸部が設けられていてもよい。
【００６６】
［第３の実施形態］
【００６７】
図１０は、本発明の第３の実施形態に係る信号制御機５００の要部を示す平面図である。図１１は、図１０におけるＢ−Ｂ線断面図である。
【００６８】
カバー部材１７０は、ベース部としてのベース板１７１と、このベース板１７１の端辺から実質的に直角に折れ曲がるように形成された折曲げ部１７５とを有する。すなわち、カバー部材１７０は、図１１に示すように側面で見てＬ字状に形成されている。
【００６９】
カバー部材１７０は、回転軸部としてのヒンジ部１７２を有し、このヒンジ部１７２を介して、筐体１０１の本体１０２のフランジ部１０８に回転可能に接続されている。ヒンジ部１７２は、この本体１０２の開口１０７（図２参照）の開口面に沿い、かつ、水平方向に沿う（すなわち図１０で左右方向に沿う）回転軸を有する。これにより、図１１に示すようにカバー部材１７０が開閉可能とされる。
【００７０】
このようなカバー部材１７０によっても、上記第１および第２の実施形態に係るカバー部材１５０、１６０と同様の効果を得ることができる。
【００７１】
［その他の実施形態］
本発明は、以上説明した実施形態に限定されず、他の種々の実施形態を実現することができる。
【００７２】
上記実施形態では、本体１０２の開口端部１０７Ａに切欠き部１１０が設けられたが、切欠き部１１０に代えて穴（穴部）が設けられ、例えば給電ケーブルのプラグをその穴を通した上で外部給電端子部２２０に接続してもよい。この場合、この穴を開閉するカバー部材としては、その穴を筐体１０１の内側から開閉する機構を有する部材であればどのようなものであってもよい。一例として、そのカバー部材が雄ネジ部を有し、本体に設けられた穴が雌ネジ部を有するものであってもよい。
【００７３】
上記各実施形態に係る切欠き部１１０は、外部電源からの給電用の給電ケーブルを通す手段として利用されたが、例えば筐体１０１の内部機器（例えば制御ユニット１２０）と、外部のコンピュータとを接続するケーブルを通す手段として利用されてもよい。これにより、扉１０３を閉めた状態で、作業者は、外部のコンピュータを操作して、制御ユニット１２０の設定等を行うことができる。
【００７４】
切欠き部１１０は、筐体１０１の下部に限られず、筐体１０１の側部に設けられていてもよい。
【００７５】
第２の実施形態に係るカバー部材１７０のスライド方向は前後方向であったが、カバー部材は、左右方向にスライド可能に本体に接続されていてもよい。
【００７６】
以上説明した各形態の特徴部分のうち、少なくとも２つの特徴部分を組み合わせることも可能である。
【符号の説明】
【００７７】
２…信号灯
１００、３００、５００…信号制御機
１０１…筐体
１０２…本体
１０３…扉
１０７…開口
１０７Ａ…開口端部
１０８…フランジ部
１０８ｂ…前面部
１０９…底部（本体の下部）
１１０…切欠き部
１２０…制御ユニット
１５０、１６０、１７０…カバー部材
１５１、１６１、１７１…ベース板（ベース部）
１５３…回転軸部
１５５…係合部
１５６、１６６、１７６…前面
１６３…ガイド切欠き（ガイド部）
１６５、１７５…折曲げ部
１７２…ヒンジ部
１９０…軸部
【図１】
2018173997.tif 000003
【図２】
2018173997.tif 000004
【図３】
2018173997.tif 000005
【図４】
2018173997.tif 000006
【図５】
2018173997.tif 000007
【図６】
2018173997.tif 000008
【図７】
2018173997.tif 000009
【図８】
2018173997.tif 000010
【図９】
2018173997.tif 000011
【図１０】
2018173997.tif 000012
【図１１】
2018173997.tif 000013